(57)【要約】【課題】ネットワークに接続されている不特定の表示装置を連結して、一つのコンテンツを表示すること。【解決手段】複数の情報端末と、情報処理装置とを有する表示システムにおいて、前記情報処理装置は、前記複数の情報端末から、前記複数の情報端末の各々の画面サイズを取得する取得部と、表示対象のコンテンツの縦横の長さ、及び前記複数の情報端末の画面サイズに基づいて、前記複数の情報端末の中から、前記コンテンツの縦横の長さに適合する前記情報端末の組み合わせ及び前記組み合わせに含まれる各情報端末の配置を決定する決定部と、前記各情報端末に、前記コンテンツにおける前記各情報端末の配置に対応する領域を表示させることにより、前記各情報端末の画面を連結した連結画面に、前記コンテンツを１つの画像として表示させる表示制御部と、を備えることで上記課題を解決する。【選択図】図９
2017016314.tif 000002
【特許請求の範囲】
【請求項１】
複数の情報端末と、情報処理装置とを有する表示システムであって、
前記情報処理装置は、
前記複数の情報端末から、前記複数の情報端末の各々の画面サイズを取得する取得部と、
表示対象のコンテンツの縦横の長さ、及び前記複数の情報端末の画面サイズに基づいて、前記複数の情報端末の中から、前記コンテンツの縦横の長さに適合する前記情報端末の組み合わせ及び前記組み合わせに含まれる各情報端末の配置を決定する決定部と、
前記各情報端末に、前記コンテンツにおける前記各情報端末の配置に対応する領域を表示させることにより、前記各情報端末の画面を連結した連結画面に、前記コンテンツを１つの画像として表示させる表示制御部と、
を備える表示システム。
【請求項２】
前記取得部は、前記複数の情報端末から、前記複数の情報端末の各々の解像度を取得し、
前記情報処理装置は、
前記配置と、前記各情報端末の解像度に基づいて、前記各情報端末が配置された領域に対応する、前記コンテンツの画像を分割した分割画像を生成する生成部をさらに有し、
前記表示制御部は、前記各情報端末に、前記各情報端末が配置された領域に対応する前記分割画像を表示させる、
請求項１記載の表示システム。
【請求項３】
前記表示制御部は、前記各情報端末に、前記コンテンツ及び前記各情報端末が配置された領域の情報を通知し、
前記情報端末は、前記コンテンツにおける前記領域を画面に表示する、
請求項１記載の表示システム。
【請求項４】
前記決定部は、
前記連結画面の縦横の長さが前記コンテンツの縦横の長さ以上となる前記組み合わせ及び前記配置を決定する、
請求項１乃至３のいずれか１項に記載の表示システム。
【請求項５】
前記決定部は、前記連結画面の縦横の長さが前記コンテンツの縦横の長さ以上となる前記組み合わせ及び前記配置がない場合、前記コンテンツのアスペクト比を算出し、前記アスペクト比の矩形のサイズが最大となる前記組み合わせ及び前記配置を決定し、
前記表示制御部は、前記コンテンツを当該矩形のサイズに合わせて縮小して表示させる、
請求項４記載の表示システム。
【請求項６】
前記情報端末は、
ユーザから受け付けた操作情報を前記情報処理装置に通知する制御部を備え
前記取得部は、前記複数の情報端末から、前記複数の情報端末の各々の解像度を取得し、
前記表示制御部は、前記情報端末から通知された操作情報と、当該情報端末の解像度に基づいて、前記各情報端末に表示させる前記コンテンツの表示位置及び表示の倍率の少なくとも一方を変更する、
請求項１に記載の表示システム。
【請求項７】
前記決定部は、前記組み合わせに含まれる第１の情報端末との通信が不能となったことが検知されると、
前記コンテンツの縦横の長さ及び前記第１の情報端末を除く前記複数の情報端末の画面サイズに基づいて、前記決定を行う、
請求項１乃至６のいずれか１項に記載の表示システム。
【請求項８】
前記情報端末は、
配置状況の変化を検出するセンサと、
前記センサにより検出した配置状況の変化を情報処理装置に通知する通信部と、
を備え、
前記表示制御部は、通知された配置状況の変化に応じて、前記各情報端末の配置を変更する、
請求項１乃至７のいずれか１項に記載の表示システム。
【請求項９】
前記決定部は、前記複数の情報端末の中から、前記画面サイズが大きい前記情報端末を優先して前記決定を行う、
請求項１乃至８のいずれか１項に記載の表示システム。
【請求項１０】
前記取得部は、前記複数の情報端末の解像度を取得し、
前記決定部は、前記複数の情報端末の中から、前記解像度が高い前記情報端末を優先して前記決定を行う、
請求項１乃至８のいずれか１項に記載の表示システム。
【請求項１１】
前記取得部は、前記複数の情報端末の消費電力を取得し、
前記決定部は、前記複数の情報端末の中から、前記消費電力が小さい前記情報端末を優先して前記決定を行う、
請求項１乃至８のいずれか１項に記載の表示システム。
【請求項１２】
前記取得部は、前記複数の情報端末の機種を取得し、
前記決定部は、前記複数の情報端末の中から、前記機種に応じて前記決定を行う、
請求項１乃至８のいずれか１項に記載の表示システム。
【請求項１３】
前記決定部は、前記コンテンツの縦横の長さに適合する前記組み合わせ及び前記配置が複数ある場合、前記複数の組み合わせ及び配置を前記情報端末に通知し、前記情報端末から選択された組み合わせ及び配置に決定する、
請求項１乃至１２のいずれか１項に記載の表示システム。
【請求項１４】
複数の情報端末から、前記複数の情報端末の各々の画面サイズを取得する取得部と、
表示対象のコンテンツの縦横の長さ、及び前記複数の情報端末の画面サイズに基づいて、前記複数の情報端末の中から、前記コンテンツの縦横の長さに適合する前記情報端末の組み合わせ及び前記組み合わせに含まれる各情報端末の配置を決定する決定部と、
前記各情報端末に、前記コンテンツにおける前記各情報端末の配置に対応する領域を表示させることにより、前記各情報端末の画面を連結した連結画面に、前記コンテンツを１つの画像として表示させる表示制御部と、
を備える情報処理装置。
【請求項１５】
情報処理装置に、以下の処理を行わせるプログラムであって、
複数の情報端末から、前記複数の情報端末の各々の画面サイズを取得する処理と、
表示対象のコンテンツの縦横の長さ、及び前記複数の情報端末の画面サイズに基づいて、前記複数の情報端末の中から、前記コンテンツの縦横の長さに適合する前記情報端末の組み合わせ及び前記組み合わせに含まれる各情報端末の配置を決定する処理と、
前記各情報端末に、前記コンテンツにおける前記各情報端末の配置に対応する領域を表示させることにより、前記各情報端末の画面を連結した連結画面に、前記コンテンツを１つの画像として表示させる処理と、
を実行させるプログラム。
【請求項１６】
複数の情報端末を有する表示システムであって、
前記複数の情報端末から、前記複数の情報端末の各々の画面サイズを取得する取得部と、
表示対象のコンテンツの縦横の長さ、及び前記複数の情報端末の画面サイズに基づいて、前記複数の情報端末の中から、前記コンテンツの縦横の長さに適合する前記情報端末の組み合わせ及び前記組み合わせに含まれる各情報端末の配置を決定する決定部と、
前記各情報端末に、前記コンテンツにおける前記各情報端末の配置に対応する領域を表示させることにより、前記各情報端末の画面を連結した連結画面に、前記コンテンツを１つの画像として表示させる表示制御部と、
を備える表示システム。
【請求項１７】
複数の情報端末から、前記複数の情報端末の各々の画面サイズを取得する取得部と、
表示対象のコンテンツの縦横の長さ、及び前記複数の情報端末の画面サイズに基づいて、前記複数の情報端末の中から、前記コンテンツの縦横の長さに適合する前記情報端末の組み合わせ及び前記組み合わせに含まれる各情報端末の配置を決定する決定部と、
前記各情報端末に、前記コンテンツにおける前記各情報端末の配置に対応する領域を表示させることにより、前記各情報端末の画面を連結した連結画面に、前記コンテンツを１つの画像として表示させる表示制御部と、
を備える情報端末。
【請求項１８】
情報端末に、以下の処理を行わせるプログラムであって、
複数の情報端末から、前記複数の情報端末の各々の画面サイズを取得する処理と、
表示対象のコンテンツの縦横の長さ、及び前記複数の情報端末の画面サイズに基づいて、前記複数の情報端末の中から、前記コンテンツの縦横の長さに適合する前記情報端末の組み合わせ及び前記組み合わせに含まれる各情報端末の配置を決定する処理と、
前記各情報端末に、前記コンテンツにおける前記各情報端末の配置に対応する領域を表示させることにより、前記各情報端末の画面を連結した連結画面に、前記コンテンツを１つの画像として表示させる処理と、
を実行させるプログラム。
【発明の詳細な説明】
【技術分野】
【０００１】
本発明は、表示システム、情報処理装置、情報端末、及びプログラムに関する。
【背景技術】
【０００２】
複数の表示装置を連結した画面に、文書や画像等のコンテンツを表示する技術が知られている。
【０００３】
特許文献１には、グラフィックス出力機能を有するＣＰＵに対して仮想記憶空間を設け、その仮想記憶空間を各表示装置に割り当てることによって、解像度等の異なる複数の表示装置を用いて一つのコンテンツを表示する技術が開示されている。
【発明の概要】
【発明が解決しようとする課題】
【０００４】
従来の技術では、各表示装置にて表示するコンテンツの領域は静的に割り当てられており、ネットワークに接続されている不特定の表示装置を連結して、一つのコンテンツを表示することはできない。
【０００５】
そこで、ネットワークに接続されている不特定の表示装置を連結して、一つのコンテンツを表示できる技術を提供することを目的とする。
【課題を解決するための手段】
【０００６】
複数の情報端末と、情報処理装置とを有する表示システムにおいて、前記情報処理装置は、前記複数の情報端末から、前記複数の情報端末の各々の画面サイズを取得する取得部と、表示対象のコンテンツの縦横の長さ、及び前記複数の情報端末の画面サイズに基づいて、前記複数の情報端末の中から、前記コンテンツの縦横の長さに適合する前記情報端末の組み合わせ及び前記組み合わせに含まれる各情報端末の配置を決定する決定部と、前記各情報端末に、前記コンテンツにおける前記各情報端末の配置に対応する領域を表示させることにより、前記各情報端末の画面を連結した連結画面に、前記コンテンツを１つの画像として表示させる表示制御部と、を備える。
【発明の効果】
【０００７】
開示の技術によれば、ネットワークに接続されている不特定の表示装置を連結して、一つのコンテンツを表示できる。
【図面の簡単な説明】
【０００８】
【図１】第１の実施形態に係る表示システムの全体構成を示す図である。
【図２】第１の実施形態に係る情報処理装置のハードウェア構成の一例を示す図である。
【図３】第１の実施形態に係るアクセスポイントのハードウェア構成の一例を示す図である。
【図４】第１の実施形態に係る情報端末のハードウェア構成の一例を示す図である。
【図５】第１の実施形態に係る表示システムの機能構成を示す図である。
【図６】端末情報に記憶される情報の一例を示す図である。
【図７】コンテンツ情報に記憶される情報の一例を示す図である。
【図８】マルチディスプレイ情報に記憶される情報の一例を示す図である。
【図９】第１の実施形態に係る表示システムのシーケンスの一例を示す図である。
【図１０】配置決定部による配置決定処理のフローチャートである。
【図１１】分割画像生成部による分割画像生成処理のフローチャートである。
【図１２】配置決定処理及び分割画像生成処理の例を説明する図である。
【図１３】端末表示制御部による操作情報解析処理のフローチャートである。
【図１４】情報端末における画面の表示例を説明する図である。
【図１５】各情報処理装置を連結した連結画面における、コンテンツの表示例を説明する図である。
【図１６】現実の配置状況に基づく配置位置の変更例（その一）を説明する図である。
【図１７】現実の配置状況に基づく配置位置の変更例（その二）を説明する図である。
【図１８】第２の実施形態に係る表示システムの全体構成を示す図である。
【図１９】第２の実施形態に係る表示システムの機能構成を示す図である。
【図２０】第２の実施形態に係る表示システムのシーケンスの一例を示す図である。
【発明を実施するための形態】
【０００９】
＜第１の実施形態＞
図１は、第１の実施形態に係る表示システム１の全体構成を示す図である。図１に示すように、表示システム１は、１以上の情報処理装置１０、１以上のアクセスポイント２０、ユーザが所持する１以上の情報端末３０−１、・・・、３０−ｎ（以下で適宜「情報端末３０」と総称する）を有する。
【００１０】
情報処理装置１０は、複数の情報端末３０から、複数の情報端末３０の各々の画面サイズを取得する。なお、画面サイズは、各情報端末３０の画面の大きさを示す情報であり、例えば画面の縦横の長さや、画面の対角線の長さ及びアスペクト比等の情報である。
【００１１】
情報処理装置１０は、表示対象のコンテンツの縦横の長さ、及び複数の情報端末３０の画面サイズに基づいて、複数の情報端末３０の中から、前記コンテンツの縦横の長さに適合する情報端末３０の組み合わせ及び前記組み合わせに含まれる各情報端末３０の配置を決定する。なお、コンテンツの縦横の長さとして、例えばコンテンツのファイルに設定されている用紙サイズや、縦横の長さ、対角線の長さ及びアスペクト比、サイズ、大きさ、解像度（画素数や画素密度）等を用いる構成としてもよい。
【００１２】
情報処理装置１０は、前記組み合わせに含まれる各情報端末３０に、前記コンテンツにおける前記各情報端末の配置に対応する領域を表示させる。
【００１３】
それにより、情報処理装置１０は、複数の情報端末３０の画面を連結した連結画面に、コンテンツを１つの画像として表示させる。
【００１４】
アクセスポイント２０は、情報端末３０が、ＢＬＥ（Bluetooth（登録商標） Low Energy）やＮＦＣ（Near field communication）等の近距離無線通信が可能な通信圏内に入ると、無線ＬＡＮ（Local Area Network）による通信を接続するために必要なＳＳＩＤやパスワード等の情報を情報端末３０に通知する。
【００１５】
アクセスポイント２０は、情報端末３０と無線ＬＡＮによる通信を行う。従って、アクセスポイント２０は、他の装置と通信を行う通信装置ともいえる。
【００１６】
アクセスポイント２０は、伝送網４０を介して情報処理装置１０と通信を行う。なお、伝送網４０は、インターネット、ＬＡＮ、携帯電話網などである。
【００１７】
情報端末３０は、例えば、スマートフォン、タブレット端末、ノートパソコン等である。情報端末３０は、画面サイズを情報処理装置１０に通知し、情報処理装置１０からの指示に基づき、配置された領域に対応するコンテンツの画像を画面に表示する。
【００１８】
図２は、第１の実施形態に係る情報処理装置１０のハードウェア構成の一例を示す図である。
【００１９】
情報処理装置１０は、ＣＰＵ（Central Processing Unit）１０１、ＲＯＭ（Read Only Memory）１０２、ＲＡＭ（Random Access Memory）１０３、ＨＤＤ（Hard Disk Drive）１０４、通信インターフェイス（Ｉ／Ｆ）１０５、外部Ｉ／Ｆ１０６、入力装置１０７、表示装置１０８などを備え、それぞれがバスＢで相互に接続されている。
【００２０】
ＣＰＵ１０１は、ＲＯＭ１０２などの記憶装置からプログラムやデータをＲＡＭ１０３上に読み出し、処理を実行することで、情報処理装置１０全体の制御や機能を実現する演算装置である。
【００２１】
ＲＯＭ１０２は、電源を切ってもプログラムやデータを保持することができる不揮発性の半導体メモリ（記憶装置）であり、ＢＩＯＳ、ＯＳ設定などのプログラムやデータを格納する。
【００２２】
ＲＡＭ１０３は、プログラムやデータを一時保持する揮発性の半導体メモリ（記憶装置）である。
【００２３】
ＨＤＤ１０４は、ＯＳや、各種機能を提供するアプリケーションプログラム等のデータを格納する。
【００２４】
通信Ｉ／Ｆ１０５は、イーサネット（登録商標）に準拠する通信を行う。
【００２５】
外部Ｉ／Ｆ１０６は、外部装置とのインタフェースである。外部装置には、記録媒体１０６ａなどがある。記録媒体１０６ａには、実施形態を実現するプログラムを格納することができる。情報処理装置１０は外部Ｉ／Ｆ１０６を介して、記録媒体１０６ａの読み取り及び／又は書き込みを行うことができる。
【００２６】
記録媒体１０６ａは、例えば、ＳＤメモリカード（SD Memory card）などの記録媒体である。記録媒体１０６ａは、ＵＳＢメモリ（Universal Serial Bus memory）、ＤＶＤ（Digital Versatile Disk）、ＣＤ（Compact Disk）、フレキシブルディスクなどの記録媒体であってもよい。
【００２７】
入力装置１０７は、情報処理装置１０に各種情報を入力するためのインタフェースである。表示装置１０８は、情報処理装置１０が有する各種情報を表示する。
【００２８】
図３は、第１の実施形態に係るアクセスポイント２０のハードウェア構成の一例を示す図である。
【００２９】
アクセスポイント２０は、プロセッサ２０１、ＲＯＭ２０２、ＲＡＭ２０３、近距離無線Ｉ／Ｆ２０４、無線ＬＡＮＩ／Ｆ２０５、通信Ｉ／Ｆ２０６、外部Ｉ／Ｆ２０７などを備え、それぞれがバスＢで相互に接続されている。
【００３０】
プロセッサ２０１は、ＲＯＭ２０２などの記憶装置からプログラムやデータをＲＡＭ２０３上に読み出し、処理を実行することで、アクセスポイント２０全体の制御や機能を実現する演算装置である。
【００３１】
ＲＯＭ２０２は、フラッシュメモリ等の、電源を切ってもプログラムやデータを保持することができる不揮発性の半導体メモリ（記憶装置）であり、ＯＳ（Operating System）、各種機能を提供するアプリケーションプログラム等のデータが格納されている。
【００３２】
ＲＡＭ２０３は、プログラムやデータを一時保持する揮発性の半導体メモリ（記憶装置）である。
【００３３】
近距離無線Ｉ／Ｆ２０４は、ＢＬＥ、ＮＦＣ等の近距離無線通信を行う。
【００３４】
無線ＬＡＮＩ／Ｆ２０５は、例えば、ＩＥＥＥ８０２．１１規格に準拠する無線ＬＡＮ通信を行う。
【００３５】
通信Ｉ／Ｆ２０６は、イーサネット（登録商標）に準拠し、情報処理装置１０と通信を行う。
【００３６】
外部Ｉ／Ｆ２０７は、外部装置とのインタフェースである。外部装置には、記録媒体２０７ａなどがある。これにより、アクセスポイント２０は外部Ｉ／Ｆ２０７を介して記録媒体２０７ａの読み取り及び／又は書き込みを行うことができる。記録媒体２０７ａにはフレキシブルディスク、ＣＤ、ＤＶＤ、ＳＤメモリカード、ＵＳＢメモリなどがある。
【００３７】
図４は、第１の実施形態に係る情報端末３０のハードウェア構成の一例を示す図である。
【００３８】
情報端末３０は、ＣＰＵ（Central Processing Unit）３０１、ＲＯＭ（Read Only Memory）３０２、ＲＡＭ（Random Access Memory）３０３、ＳＳＤ（Solid State Drive）３０４、近距離無線Ｉ／Ｆ３０５、無線ＬＡＮＩ／Ｆ３０６、入力装置３０７、表示装置３０８、外部Ｉ／Ｆ３０９などを備え、それぞれがバスＢで相互に接続されている。
【００３９】
ＣＰＵ３０１は、ＲＯＭ３０２やＳＳＤ３０４などの記憶装置からプログラムやデータをＲＡＭ３０３上に読み出し、処理を実行することで、情報端末３０全体の制御や機能を実現する演算装置である。
【００４０】
ＲＯＭ３０２は、電源を切ってもプログラムやデータを保持することができる不揮発性の半導体メモリ（記憶装置）である。ＲＯＭ３０２は、情報端末３０の起動時に実行されるＢＩＯＳ（Basic Input/Output System）、ＯＳ設定、及びネットワーク設定などのプログラムやデータを格納する。
【００４１】
ＲＡＭ３０３は、プログラムやデータを一時保持する揮発性の半導体メモリ（記憶装置）である。
【００４２】
ＳＳＤ３０４は、プログラムやデータを格納している不揮発性の記憶装置である。格納されるプログラムやデータには、例えば情報端末３０全体を制御する基本ソフトウェアであるＯＳ（Operating System）や、ＯＳ上において各種機能を提供するアプリケーションソフトウェアなどがある。ＳＳＤ３０４は格納しているプログラムやデータを所定のファイルシステム及び／又はＤＢ（データベース）により管理している。なお、ＳＳＤ３０４の代わりに又はＳＳＤ３０４と併せて、ＨＤＤ等を備えてもよい。
【００４３】
近距離無線Ｉ／Ｆ３０５は、アクセスポイント２０を介した通信を行うためのインタフェースである。近距離無線Ｉ／Ｆ３０５は、例えば、ＢＬＥ、ＮＦＣ、無線ＬＡＮ等を用いて、アクセスポイント２０との近距離無線通信を行う。
【００４４】
無線ＬＡＮＩ／Ｆ３０６は、例えば、ＩＥＥＥ８０２．１１規格に準拠する無線ＬＡＮ通信を行う。
【００４５】
入力装置３０７は、例えば、タッチパネルであり、情報端末３０に各操作信号を入力するのに用いられる。なお、入力装置３０７は、キーボードやマウスなどであってもよい。
【００４６】
表示装置３０８は、例えば、ＬＣＤ（Liquid Crystal Display）などであり、情報端末３０による処理結果を表示する。
【００４７】
外部Ｉ／Ｆ３０９は、外部装置とのインタフェースである。外部装置には、記録媒体３０９ａなどがある。記録媒体３０９ａには、実施形態を実現するプログラムを格納することができる。情報端末３０は外部Ｉ／Ｆ３０９を介して、記録媒体３０９ａの読み取り及び／又は書き込みを行うことができる。
【００４８】
記録媒体３０９ａは、例えば、ＳＤメモリカード（SD Memory card）などの記録媒体である。記録媒体３０９ａは、ＵＳＢメモリ（Universal Serial Bus memory）、ＤＶＤ（Digital Versatile Disk）、ＣＤ（Compact Disk）、フレキシブルディスクなどの記録媒体であってもよい。
【００４９】
次に、図５を参照し、第１の実施形態に係る表示システム１の機能構成について説明する。
【００５０】
図５は、第１の実施形態に係る表示システム１の機能構成を示す図である。
【００５１】
情報処理装置１０は、記憶部１１、端末情報取得部１２、配置決定部１３、分割画像生成部１４、端末表示制御部１５、通信部１６を有する。これら各部は、情報処理装置１０にインストールされた１以上のプログラムが、情報処理装置１０のＣＰＵ１０１に実行させる処理により実現される。
【００５２】
記憶部１１は、端末情報１１１、コンテンツ情報１１２、マルチディスプレイ情報１１３を記憶する。
【００５３】
図６は、端末情報１１１に記憶される情報の一例を示す図である。端末情報１１１は、データの項目として、アクセスポイントＩＤ、情報端末ＩＤ、画面サイズ（ｍｍ）、解像度、機種、消費電力を含む。アクセスポイントＩＤは、アクセスポイント２０を識別する情報であり、例えばアクセスポイント２０のＩＰアドレスやＭＡＣアドレスであってもよい。
【００５４】
情報端末ＩＤは、アクセスポイント２０と近距離無線通信を行った情報端末３０を識別する情報であり、例えば情報端末３０のＭＡＣアドレスであってもよい。画面サイズ（ｍｍ）は、各情報端末３０の画面の大きさである。解像度は、各情報端末３０の画面の解像度であり、画面の画素数または画素密度である。機種は、各情報端末３０の機種を示す情報であり、ノートパソコン（ＰＣ）、タブレット、スマートフォン等の種別を示す。消費電力は、各情報端末３０の単位時間当たりの消費電力を示す。
【００５５】
図７は、コンテンツ情報１１２に記憶される情報の一例を示す図である。コンテンツ情報１１２は、データの項目として、ファイル名、用紙サイズ（ｍｍ）を含む。ファイル名は、情報端末３０に表示させるドキュメントやＣＡＤ等のファイルの名前である。用紙サイズ（ｍｍ）は、各ファイルの用紙の大きさである。
【００５６】
図８は、マルチディスプレイ情報１１３に記憶される情報の一例を示す図である。マルチディスプレイ情報１１３は、データの項目として、アクセスポイントＩＤ、ファイル名、ページ番号、倍率、表示位置（ｍｍ）、情報端末ＩＤ、領域（ｍｍ）を含む。
【００５７】
アクセスポイントＩＤは、アクセスポイント２０を識別する情報である。ファイル名は、そのアクセスポイント２０に接続している１以上の情報端末３０の画面を連結した画面（連結画面）に表示しているコンテンツのファイルの名前である。ページ番号は、連結画面に表示しているコンテンツのファイルのページ番号である。倍率は、連結画面に表示しているコンテンツの表示の倍率である。例えば、ファイルの用紙サイズに合わせて原寸で表示している場合を１とする。
【００５８】
表示位置（ｍｍ）は、連結画面に表示しているコンテンツの、連結画面における表示位置である。例えば、連結画面の左下の位置と、コンテンツの左下の位置が一致する場合は（０，０）とし、情報端末３０において１００ｍｍに相当する画素分、左にスワイプ（ドラッグ）操作された場合は、（−１００，０）とする。情報端末ＩＤは、そのアクセスポイントにて連結画面を形成する情報端末３０を識別する情報である。領域（ｍｍ）は、各情報端末３０に割り当てられた領域（ｍｍ）を示す情報である。例えば、コンテンツの用紙サイズにおける左下が（０ｍｍ，０ｍｍ）、右上が（１４４ｍｍ，２１０ｍｍ）の矩形の領域を割り当てられた場合、（０，０）、（１４４，２１０）と記録する。
【００５９】
端末情報取得部１２は、通信部１６を介して、アクセスポイント２０のＩＤ、情報端末３０のＩＤ、画面サイズ（ｍｍ）、解像度、機種、消費電力の情報を含む端末登録要求を受信し、端末情報１１１に記録する。
【００６０】
配置決定部１３は、端末表示制御部１５からの要求に応じて、端末情報１１１及びコンテンツ情報１１２を参照する。そして、配置決定部１３は、コンテンツの用紙サイズ及び各情報端末３０の画面サイズに基づいて、例えば連結画面のサイズが用紙サイズ以上の大きさとなる等の、コンテンツの用紙サイズに適合する情報端末３０の組み合わせ及び組み合わせに含まれる各情報端末３０の配置を決定する配置決定処理を行う。なお、配置決定処理の詳細は後述する。
【００６１】
分割画像生成部１４は、端末表示制御部１５からの要求に応じて、マルチディスプレイ情報１１３に基づいて、各情報端末３０に応じて分割した画像を生成する分割画像生成処理を行い、生成した分割画像を端末表示制御部１５に出力する。なお、分割画像生成処理の詳細は後述する。
【００６２】
端末表示制御部１５は、配置決定部１３が決定した組み合わせに含まれる各情報端末３０に、コンテンツにおける各情報端末３０が配置された領域を表示させる。端末表示制御部１５は、通信部１６を介して、アクセスポイント２０のＩＤ、情報端末３０のＩＤ、優先度、機種、コンテンツの表示種別、コンテンツのファイルの名前（ファイル名）を含むマルチディスプレイモードの開始要求を入力されると、配置決定部１３に、配置決定処理を行わせる。そして、端末表示制御部１５は、分割画像生成部１４に、分割画像生成処理を行わせる。なお、マルチディスプレイモードの開始を要求した情報端末３０に、連結画面を構成する各情報端末３０のＩＤ、機種、及び領域の情報を含む配置情報を返信し、当該情報端末３０から表示開始要求を受信した後、分割画像生成部１４に、分割画像生成処理を行わせる構成としてもよい。
【００６３】
端末表示制御部１５は、分割画像生成部１４に、分割画像生成処理を行わせると、分割画像生成部１４が生成した、各情報端末３０に応じた分割画像と、各情報端末３０における表示位置の情報を含む描画命令を、通信部１６を介して、各情報端末３０に送信する。
【００６４】
端末表示制御部１５は、通信部１６を介して、アクセスポイント２０のＩＤ、情報端末３０のＩＤ、各情報端末３０の配置位置の情報を含む配置変更要求を受信すると、受信した各情報端末３０の配置位置を、画素単位の座標の情報から、長さ（ｍｍ）単位の座標の情報に変換する。そして、変換した各情報端末３０の配置位置に基づき、マルチディスプレイ情報１１３の表示位置（ｍｍ）、情報端末ＩＤ、領域（ｍｍ）を更新する。
【００６５】
端末表示制御部１５は、通信部１６を介して、アクセスポイント２０のＩＤ、情報端末３０のＩＤを含む表示開始要求を受信すると、分割画像生成部１４に、分割画像生成処理を行わせる。
【００６６】
端末表示制御部１５は、通信部１６を介して、アクセスポイント２０のＩＤ、情報端末３０のＩＤ及び操作情報を含む操作情報通知を受信すると、受信した操作情報を、画素単位の座標の情報から、長さ（ｍｍ）単位の座標の情報に変換する。そして、変換した操作情報に基づき、マルチディスプレイ情報１１３のページ番号、倍率、表示位置（ｍｍ）を更新する操作情報解析処理を行うとともに、分割画像生成部１４に、分割画像生成処理を行わせる。なお、操作情報解析処理の詳細は後述する。
【００６７】
端末表示制御部１５は、定期的に、アクセスポイント２０を介して、各情報端末３０にポーリングを行い、情報端末３０の電源断やアクセスポイント２０の通信圏外に移動したこと等により、情報端末３０との通信が不能となったことを検知する。端末表示制御部１５は、連結画面を構成する情報端末３０との通信が不能となったことを検知すると、端末情報１１１から当該情報端末３０の情報を削除するとともに、配置決定部１３に、配置決定処理を再度行わせる。そして、端末表示制御部１５は、分割画像生成部１４に、分割画像生成処理を再度行わせる。
【００６８】
通信部１６は、アクセスポイント２０等との通信を行う。
【００６９】
アクセスポイント２０は、近距離無線通信部２１、無線通信部２２、通信部２３、制御部２４を有する。これら各部は、アクセスポイント２０にインストールされた１以上のプログラムが、アクセスポイント２０のプロセッサ２０１に実行させる処理により実現される。
【００７０】
近距離無線通信部２１は、近距離無線Ｉ／Ｆ２０４を制御し、情報端末３０が近距離無線通信の可能な圏内に入ると、ＢＬＥ、ＮＦＣ、無線ＬＡＮ等の近距離無線通信を接続する。
【００７１】
無線通信部２２は、無線ＬＡＮＩ／Ｆ２０５を制御し、情報端末３０との通信を行う。
【００７２】
通信部２３は、通信Ｉ／Ｆ２０６を制御し、情報処理装置１０との通信を行う。
【００７３】
制御部２４は、近距離無線通信部２１により、情報端末３０が近距離無線通信の可能な圏内に入ったことを検知すると、近距離無線通信部２１から、無線通信部２２との無線を接続するために必要な情報である無線接続情報を通知する。無線接続情報には、例えば無線通信部２２のＳＳＩＤやパスワードを含めてもよい。
【００７４】
制御部２４は、情報端末３０から情報処理装置１０宛ての要求を受信すると、アクセスポイント２０のＩＤを付加して、情報処理装置１０に要求を転送する。
【００７５】
情報端末３０は、近距離無線通信部３１、無線通信部３２、制御部３３、記憶部３４を有する。これら各部は、情報端末３０にインストールされた１以上のプログラムが、情報端末３０のＣＰＵ３０１に実行させる処理により実現される。
【００７６】
近距離無線通信部３１は、近距離無線Ｉ／Ｆ３０５を制御し、ＢＬＥ、ＮＦＣ等の近距離無線を用いて、近距離無線通信部２１との通信を行う。
【００７７】
無線通信部３２は、無線ＬＡＮＩ／Ｆ３０６を制御し、無線ＬＡＮ等を用いて、無線通信部２２との通信を行う。
【００７８】
制御部３３は、近距離無線通信部３１にて受信した無線接続情報を用いて、無線通信部３２によりアクセスポイント２０と接続する。
【００７９】
制御部３３は、無線通信部３２によりアクセスポイント２０と接続した際、あるいは入力装置３０７にてユーザから所定の操作を受け付けた際、無線通信部３２から、情報処理装置１０に、記憶部３４に格納されている情報端末３０のＩＤ、画面サイズ（ｍｍ）、解像度、機種、消費電力の情報を含む端末登録要求を送信する。
【００８０】
制御部３３は、表示装置３０８に、優先度、機種、コンテンツの表示種別、コンテンツのファイルを選択できる設定項目を表示する（図１４を参照）。制御部３３は、ユーザから入力装置３０７による設定やマルチディスプレイモードの開始を指示する操作を受け付けると、無線通信部３２から、情報処理装置１０に、設定された優先度、機種、コンテンツの表示サイズ、コンテンツのファイルの名前（ファイル名）を含むマルチディスプレイモードの開始要求を送信する。優先度は、情報処理装置１０が連結画面を構成する情報端末３０を選択する際の、画面サイズが大きい順（例えば、画面の対角線の長さが長い順、あるいは面積が大きい順）、解像度が高い順、消費電力が小さい順等の選択の優先度を指定する情報である。機種は、情報処理装置１０が連結画面を構成する情報端末３０を選択する際の、情報処理装置１０の機種を指定する情報である。コンテンツの表示種別は、情報処理装置１０が、アクセスポイント２０に対応付けられている全ての情報端末３０を連結しても、指定されたコンテンツのファイルの用紙サイズよりも小さい場合に、コンテンツを縮小して表示するか、原寸で表示できる範囲だけを表示するかを指定する情報である。
【００８１】
制御部３３は、情報処理装置１０から、連結画面を構成する各情報端末３０のＩＤ、機種、及び領域の情報を含む配置情報を通知されると、表示装置３０８に、各情報端末３０の配置位置を表示する（図１４（Ｈ）を参照）。制御部３３は、ユーザから入力装置３０７による各情報端末３０の配置位置の変更操作を受け付けると、無線通信部３２を用いて情報処理装置１０に、変更された各情報端末３０の配置位置の情報を含む配置変更要求を送信する。
【００８２】
制御部３３は、ユーザから入力装置３０７による表示開始の操作を受け付けると、無線通信部３２を用いて情報処理装置１０に、表示開始要求を送信する。
【００８３】
制御部３３は、情報処理装置１０から、分割画像と、情報端末３０における表示位置（画素単位）の情報を含む描画命令を受信すると、表示装置３０８に、指定された表示位置に分割画像を表示させる。
【００８４】
制御部３３は、分割画像を表示している際に、ユーザから、ピンチイン、ピンチアウト、スワイプ（ドラッグ）等の操作を受け付けると、情報処理装置１０に、情報端末３０のＩＤと、タッチ等の操作を開始された画素の座標や終了された画素の座標等の操作情報を通知する。
【００８５】
記憶部３４は、情報端末３０のＩＤ、画面サイズ（ｍｍ）、解像度、機種、消費電力等の情報を格納する。
【００８６】
次に、図９を参照し、第１の実施形態に係る表示システム１の動作について説明する。図９は、第１の実施形態に係る表示システム１のシーケンスの一例を示す図である。
【００８７】
情報端末３０が、アクセスポイント２０の近距離無線通信が可能な通信圏内に入ると、アクセスポイント２０は、情報端末３０に、無線接続情報を通知する（ステップＳ１０１）。情報端末３０は、通知された無線接続情報を用いて、アクセスポイント２０との無線通信を接続し、アクセスポイント２０に端末登録要求を送信する（ステップＳ１０２）。アクセスポイント２０は、情報処理装置１０に、アクセスポイントＩＤを付加して、端末登録要求を転送する（ステップＳ１０３）。情報処理装置１０は、端末情報１１１に、アクセスポイントＩＤと対応付けて、通知された情報を記録する（ステップＳ１０４）。
【００８８】
情報端末３０は、ユーザからの操作等に応じ、アクセスポイント２０に、ファイル名等を含むマルチディスプレイモードの開始要求を送信する（ステップＳ１０５）。アクセスポイント２０は、情報処理装置１０に、アクセスポイントＩＤを付加して、マルチディスプレイモードの開始要求を転送する（ステップＳ１０６）。情報処理装置１０は、配置決定部１３による配置決定処理を行う（ステップＳ１０７）。なお、この際、情報処理装置１０は、情報端末３０に、配置情報を返信し、情報端末３０からの表示開始要求や配置変更要求を受信する構成としてもよい。情報処理装置１０は、分割画像生成部１４による分割画像生成処理を行い（ステップＳ１０８）、各情報端末３０に、生成した分割画像を含む描画命令を送信する（ステップＳ１０９）。各情報端末３０は、受信した分割画像を表示する（ステップＳ１１０）。
【００８９】
情報端末３０は、受信したコンテンツを表示している際に、ユーザから、ピンチイン、ピンチアウト、スワイプ（ドラッグ）等の操作を受け付ける（ステップＳ１１１）。情報端末３０は、アクセスポイント２０に、情報端末３０のＩＤと、タッチを開始された画素の座標やタッチを終了された画素の座標等の操作情報を含む操作情報通知を送信する（ステップＳ１１２）。アクセスポイント２０は、情報処理装置１０に、アクセスポイントＩＤを付加して、操作情報通知を転送する（ステップＳ１１３）。情報処理装置１０は、端末表示制御部１５による操作情報解析処理を行い、操作情報通知に応じて、表示する画像の倍率、表示位置（ｍｍ）を変更し（ステップＳ１１４）、分割画像生成部１４による分割画像生成処理を行い（ステップＳ１１５）、各情報端末３０に、生成した分割画像を含む描画命令を送信する（ステップＳ１１６）。各情報端末３０は、受信した分割画像を表示する（ステップＳ１１７）。
【００９０】
次に、図１０を参照し、情報処理装置１０の配置決定部１３による配置決定処理の詳細について説明する。図１０は、配置決定部１３による配置決定処理のフローチャートである。
【００９１】
情報処理装置１０の配置決定部１３は、マルチディスプレイモードの開始要求に含まれるアクセスポイントＩＤ、優先度、機種、コンテンツの表示種別、ファイル名を取得する（ステップＳ２０１）。
【００９２】
配置決定部１３は、コンテンツ情報１１２を参照し、ファイル名で指定されたコンテンツの用紙サイズを取得する（ステップＳ２０２）。端末情報１１１を参照し、受信したアクセスポイントＩＤに対応付けられ、指定された機種と合致する１以上の情報端末３０を取得する（ステップＳ２０３）。
【００９３】
端末情報１１１を参照し、取得した１以上の情報端末３０の中から、指定された優先度（画面サイズが大きい順、解像度が高い順、消費電力が小さい順等）が一番高い情報端末３０を抽出し（ステップＳ２０４）、画面を縦または横にした場合の画面サイズが、コンテンツの用紙サイズ以上であるか判断する（ステップＳ２０５）。画面サイズが用紙サイズ以上である場合（ステップＳ２０５でＹＥＳ）、後述するステップＳ２０９に進み、処理を終了する。
【００９４】
画面サイズが用紙サイズよりも小さい場合（ステップＳ２０５でＮＯ）、入力されたアクセスポイントＩＤに対応付けられ、指定された機種と合致する他の情報端末３０があるか判断し（ステップＳ２０６）、あれば（ステップＳ２０６でＹＥＳ）、指定された優先度が次に高い情報端末３０を抽出する（ステップＳ２０７）。指定された優先度が一番高い情報端末３０を例えば左下に配置し、指定された優先度が次に高い情報端末３０を例えば右または上に順次連結し、各情報端末３０の画面をそれぞれ縦または横にして連結した画面の画面サイズが、当該ファイルの用紙サイズ以上となるか判断する（ステップＳ２０８）。連結した画面サイズが用紙サイズ以上である場合（ステップＳ２０８でＹＥＳ）、マルチディスプレイ情報１１３に、入力されたアクセスポイントＩＤ及びファイル名、ページ番号に「１」、倍率に「１」、表示位置（ｍｍ）に「（０，０）」、各情報端末３０に割り当てた領域の情報を記録し（ステップＳ２０９）、処理を終了する。
【００９５】
連結した画面サイズが用紙サイズよりも小さい場合（ステップＳ２０８でＮＯ）、ステップＳ２０６の処理へ戻る。
【００９６】
ステップＳ２０６で、入力されたアクセスポイントＩＤに対応付けられた他の情報端末３０がなければ（ステップＳ２０６でＮＯ）、用紙サイズのアスペクト比（縦と横の長さの比）を算出し（ステップＳ２１０）、各情報端末３０の向きと配置位置をそれぞれ入れ替え、当該アスペクト比の矩形のサイズが最大となる配置を決定する（ステップＳ２１１）。指定されたコンテンツの表示種別を判断し（ステップＳ２１２）、「原寸」が指定されていれば（ステップＳ２１２で「原寸」）、ステップＳ２０９へ進み、処理を終了する。「最大」が指定されていれば（ステップＳ２１２で「最大」）、用紙サイズと当該矩形のサイズの比を倍率として算出する（ステップＳ２１３）。そして、マルチディスプレイ情報１１３に、受信したアクセスポイントＩＤ及びファイル名、ページ番号に「１」、算出した倍率、表示位置（ｍｍ）に「（０，０）」、各情報端末３０に割り当てた領域の情報を記録し（ステップＳ２１４）、処理を終了する。
【００９７】
次に、図１１を参照し、情報処理装置１０の分割画像生成部１４による分割画像生成処理の詳細について説明する。図１１は、情報処理装置１０の分割画像生成部１４による分割画像生成処理のフローチャートである。
【００９８】
情報処理装置１０の分割画像生成部１４は、端末表示制御部１５から、アクセスポイントＩＤを入力される（ステップＳ３０１）。
【００９９】
マルチディスプレイ情報１１３を参照し、アクセスポイントＩＤに対応付けられたファイル名、ページ番号、倍率、表示位置（ｍｍ）、各情報端末３０に割り当てた領域の情報を取得する（ステップＳ３０２）。コンテンツ情報１１２を参照し、ファイル名に対応付けられた用紙サイズを取得する（ステップＳ３０３）。ファイルの用紙サイズを、取得した倍率で縮小ないし拡大する（ステップＳ３０４）。なお、倍率が「１」の場合は、縮小も拡大もしない。取得したページ番号のファイルの画像を、取得した表示位置（ｍｍ）に移動させ、各情報端末３０に割り当てられた領域の情報に応じて分割する（ステップＳ３０５）。
【０１００】
端末情報１１１を参照して各情報端末３０の解像度を取得する（ステップＳ３０６）。各情報端末３０の解像度（画素密度）合わせて、分割した領域の画像を生成する（ステップＳ３０７）。それにより、各情報端末３０に応じた分割画像を生成する。なお、解像度として画面の画素数を取得した場合は、画面サイズ（ｍｍ）を用いて画素密度に変換する。
【０１０１】
次に、図１２を参照し、配置決定処理及び分割画像生成処理の例を説明する。図１２は、配置決定処理及び分割画像生成処理の例を説明する図である。図１２では、
ファイルの用紙サイズが２９７ｍｍ×２１０ｍｍ（Ａ４）であり、受信したアクセスポイントＩＤに対応付けられた情報端末３０が、図６の端末情報１１１の例に示すように、それぞれ、情報端末ＩＤが３０１、３０２、３０３、画面サイズ（ｍｍ）が２５６×１４４、１９７×１４８、１５３×８６、解像度（画素数）が１３６６×７６８、２０４８×１５３６、１９２０×１０８０の情報端末３０−１、３０−２、３０−３が登録されているとする。
【０１０２】
その場合、配置決定処理により、各情報端末３０の画面サイズ（ｍｍ）に応じて、情報端末３０−１には、左下が（０ｍｍ，０ｍｍ）、右上が（１４４ｍｍ，２１０ｍｍ）の矩形の領域が割り当てられる。情報端末３０−２には、左下が（１４４ｍｍ，０ｍｍ）、右上が（２９７ｍｍ，１４８ｍｍ）の矩形の領域が割り当てられる。情報端末３０−３には、左下が（１４４ｍｍ，１４８ｍｍ）、右上が（２９７ｍｍ，２１０ｍｍ）の矩形の領域が割り当てられる。
【０１０３】
そして、分割画像生成処理により、各情報端末３０の画面サイズ（ｍｍ）に対する画素数、すなわち各情報端末３０の画素密度に合わせて、情報端末３０−１に割り当てられた領域の１１２１×７６８画素の画像を生成する。情報端末３０−２に割り当てられた領域の１５９１×１５３６画素の画像を生成する。情報端末３０−３に割り当てられた領域の１９２０×８３７画素の画像を生成する。
【０１０４】
次に、図１３を参照し、情報処理装置１０の端末表示制御部１５による操作情報解析処理の詳細について説明する。図１３は、情報処理装置１０の端末表示制御部１５による操作情報解析処理のフローチャートである。
【０１０５】
情報処理装置１０の端末表示制御部１５は、通信部１６を介して、アクセスポイント２０のＩＤ、情報端末３０のＩＤ、タッチ等の操作を開始された画素の座標や操作を終了された画素の座標等の操作情報を含む操作情報通知を受信する（ステップＳ４０１）。
【０１０６】
端末情報１１１を参照し、受信したアクセスポイントＩＤ及び情報端末ＩＤに対応付けられた解像度（画素数）と画面サイズ（ｍｍ）を取得する（ステップＳ４０２）。
【０１０７】
取得した解像度（画素数）と画面サイズ（ｍｍ）に基づき、単位長さ当たりの画素数（画素密度）を算出し、タッチ等の操作を開始された座標、操作を終了された座標等の情報を、画素単位の座標の情報から、算出した画素密度を用いて長さ（ｍｍ）単位の座標の情報に変換する（ステップＳ４０３）。例えば、図６に示す情報端末ＩＤが３０１である情報端末３０−１の画素密度は、７６８×２５．４／１４４＝１３５（ｄｐｉ）であるから、情報端末３０−１の画面上で１００画素分左にスワイプ（ドラッグ）操作された場合は、１００×２５．４／１３５＝１８．８ｍｍ分、表示位置（ｍｍ）が左にスワイプ（ドラッグ）操作されたと判断する。
【０１０８】
マルチディスプレイ情報１１３を参照し、受信したアクセスポイントＩＤに対応付けられた倍率、表示位置（ｍｍ）を取得する（ステップＳ４０４）。
【０１０９】
変換した操作情報に基づき、ページ番号、倍率、表示位置（ｍｍ）を更新するとともに、分割画像生成部１４にアクセスポイントＩＤを出力し、処理を終了する（ステップＳ４０５）。
【０１１０】
次に、図１４を参照し、情報端末３０における画面の表示例を説明する。図１４は、情報端末３０における画面の表示例を説明する図である。
【０１１１】
図１４（Ａ）は、コンテンツのファイルが選択された際の画面の表示例である。図１４（Ａ）の画面にて、「出力」ボタンを押下されると、図１４（Ｂ）の画面に遷移する。図１４（Ｂ）は、コンテンツの出力方法を選択するメニュー画面の表示例である。この画面にて、「表示（マルチディスプレイモード）」ボタンを押下されると、図１４（Ｃ）の画面に遷移する。図１４（Ｃ）は、上述した優先度を選択する画面の表示例である。優先度が選択されると、図１４（Ｄ）の画面に遷移する。図１４（Ｄ）は、上述した機種を選択する画面の表示例である。１以上の機種が選択され、「次へ」ボタンが押下されると、図１４（Ｅ）の画面に遷移する。
【０１１２】
図１４（Ｅ）は、上述したコンテンツの表示種別を選択する画面の表示例である。コンテンツの表示種別が選択されると、図１４（Ｆ）の画面に遷移する。図１４（Ｆ）は、マルチディスプレイモードの開始要求を送信する際の確認画面の表示例である。「表示（マルチディスプレイモード）開始」ボタンを押下されると、情報処理装置１０に、上述したマルチディスプレイモードの開始要求を送信される。図１４（Ｇ）は、情報処理装置１０から、配置情報を受信した際の表示画面の例である。「配置確認・変更」ボタンを押下されると、図１４（Ｈ）の画面に遷移する。なお、「表示開始ボタンを押下された場合は、情報処理装置１０に、表示開始要求が送信され、連結画面へのコンテンツの画像の表示が開始する。
【０１１３】
図１４（Ｈ）は、情報端末３０−２で表示する場合の配置変更画面の表示例である。この画面において、各情報端末３０の配置をユーザのスワイプ（ドラッグ）操作等により適宜移動させ、「表示開始」ボタンを押下されると、情報処理装置１０に、各情報端末３０の配置情報を含む配置変更要求及び表示開始要求が送信され、連結画面へのコンテンツの画像の表示が開始する。
【０１１４】
図１５は、各情報処理装置１０を連結した連結画面における、コンテンツの表示例を説明する図である。図１５（Ａ）は、情報端末３０−１、３０−２、３０−３にコンテンツを表示している際の表示例である。図１５（Ｂ）は、情報端末３０−１にてユーザからのピンチアウト操作を受けた際に、拡大されたコンテンツの画像のうち、表示できる範囲だけを表示している場合の表示例である。
【０１１５】
第１の実施形態によれば、ネットワークに接続してある複数の端末の中から条件に合致する端末を動的に選択し、選択した端末にコンテンツを分割して表示させることができる。それにより、例えば、画面サイズが小さい端末の画面を連結して、用紙サイズが大きな文書や画像を原寸に近い大きさで表示できる。
【０１１６】
＜変形例＞
情報処理装置１０が各情報端末３０に表示させる分割画像を生成し、各情報端末３０に送信する構成に変えて、次のような構成としてもよい。情報処理装置１０は、各情報端末３０に、コンテンツのファイル、各情報端末３０に割り当てた領域、倍率等の情報を通知する。各情報端末３０は、通知された領域、倍率等に従い、コンテンツの画像を表示する。
【０１１７】
情報処理装置１０が操作情報通知を受信した場合、変更された倍率に従ってコンテンツの用紙サイズを変更した後、配置決定部１３にて、配置決定処理を再度行う構成としてもよい。
【０１１８】
配置決定部１３は、連結画面のサイズがコンテンツの用紙サイズ以上となる情報端末３０の配置が複数ある場合、次のような処理を行う構成としてもよい。情報処理装置１０は、当該複数の配置を情報端末３０に通知する。情報端末３０は、ユーザから選択された配置を、情報処理装置１０に返信する。配置決定部１３は、選択された配置により、各情報端末３０の配置を決定する。
【０１１９】
情報端末３０側の操作による、連結画面を構成する各情報端末３０の配置位置の変更は、ＵＩ画面上の操作に基づいて変更する代わりに、次のように変更する構成としてもよい。各情報端末３０が、加速度センサ、接触センサ、近接検知センサ、ＧＰＳ等の位置情報取得センサ等の移動を検知するセンサを少なくとも１つ備える。情報端末３０は、例えば、図１４（Ｈ）のように配置変更画面を表示している際、または連結画面にコンテンツを表示している際、各情報端末３０の現実の配置状況の変化をセンサにより検出し、無線通信部３２から情報処理装置１０に、現実の配置位置の情報を含む配置変更要求を送信する。情報処理装置１０の端末表示制御部１５は、受信した各情報端末３０の配置状況に基づき、マルチディスプレイ情報１１３の情報端末ＩＤ及び領域（ｍｍ）を更新する。
【０１２０】
図１６は、現実の配置状況に基づく配置位置の変更例（その一）を説明する図である。図１６（Ａ）のように、各情報端末３０−１、３０−２、３０−３を連結していた場合に、情報端末３０−１、３０−２の現実の配置状況の変化をセンサにより検出し、情報処理装置１０に通知する。情報処理装置１０は、変更された配置位置に基づいて、各情報端末３０−１、３０−２、３０−３に対応する分割画像を生成し、各情報端末３０−１、３０−２、３０−３に表示させる。
【０１２１】
図１７は、現実の配置状況に基づく配置位置の変更例（その二）を説明する図である。図１７（Ａ）のように、各情報端末３０−１、３０−２、３０−３、３０−４を連結していた場合に、情報端末３０−１の現実の配置状況の変化をセンサにより検出し、情報処理装置１０に通知する。情報処理装置１０は、変更された配置位置に基づいて、各情報端末３０−１、３０−２、３０−３、３０−４に対応する分割画像を生成し、各情報端末３０−１、３０−２、３０−３、３０−４に表示させる。
【０１２２】
情報端末３０の解像度として、画面の画素数を用いる構成に変えて、画素密度（ｄｐｉ； dots per inch）を用いた構成としてもよい。それにより、情報処理装置１０にて、画面サイズ及び画面の画素数に基づいて画素密度を算出する処理を省略できる。
【０１２３】
＜第２の実施形態＞
第２の実施形態では、第１の実施形態と比較し、１以上の情報端末３０が、情報処理装置１０及びアクセスポイント２０の機能を備える。
【０１２４】
図１８は、第２の実施形態に係る表示システム１の全体構成を示す図である。図１８に示すように、表示システム１は、ユーザが所持する１以上の情報端末３０−１、・・・、３０−ｎ（以下で適宜「情報端末３０」と総称する）を有する。
【０１２５】
第２の実施形態に係る情報端末３０のハードウェア構成は、図４に示す第１の実施形態のものと同様である。
【０１２６】
図１９は、第２の実施形態に係る表示システム１の機能構成を示す図である。
【０１２７】
情報端末３０は、端末情報取得部３５、配置決定部３６、分割画像生成部３７、端末表示制御部３８を有する。これら各部は、情報端末３０にインストールされた１以上のプログラムが、情報端末３０のＣＰＵ３０１に実行させる処理により実現される。
【０１２８】
第２の実施形態に係る記憶部３４は、端末情報３４１、コンテンツ情報３４２、マルチディスプレイ情報３４３を記憶する。
【０１２９】
端末情報３４１、マルチディスプレイ情報３４３は、第１の実施形態のものと比較し、アクセスポイントＩＤのデータ項目を有しない。コンテンツ情報３４２は、第１の実施形態のものと同様である。
【０１３０】
端末情報取得部３５、配置決定部３６、分割画像生成部３７、端末表示制御部３８は、第１の実施形態のものと比較し、アクセスポイントＩＤのデータを用いた処理を行わない。
【０１３１】
次に、図２０を参照し、第２の実施形態に係る表示システム１の動作について説明する。図２０は、第２の実施形態に係る表示システム１のシーケンスの一例を示す図である。なお、情報端末３０−１が、第１の実施形態に係る情報処理装置１０及びアクセスポイント２０の機能を備えるものとする。第１の実施形態のものと比較し、アクセスポイント２０による処理が不要となっている。
【０１３２】
情報端末３０−２、・・・が、情報端末３０−１の近距離無線通信が可能な通信圏内に入ると、情報端末３０−１は、情報端末３０−２、・・・に、無線接続情報を通知する（ステップＳ５０１）。情報端末３０−２、・・・は、通知された無線接続情報を用いて、情報端末３０−１との無線通信を接続し、情報端末３０−１に端末登録要求を送信する（ステップＳ５０２）。
【０１３３】
情報端末３０−１は、端末情報３４１に、通知された情報を記録する（ステップＳ５０３）。なお、情報端末３０−１の端末情報は、予め端末情報３４１に記録されていてもよい。
【０１３４】
情報端末３０−２、・・・は、ユーザからの操作等に応じ、情報端末３０−１に、ファイル名等を含むマルチディスプレイモードの開始要求を送信する（ステップＳ５０４）。なお、情報端末３０−１での操作により、マルチディスプレイモードの開始が要求されてもよい。
【０１３５】
情報端末３０−１は、配置決定部１３による配置決定処理を行う（ステップＳ５０５）。なお、この際、情報端末３０−１は、マルチディスプレイモードの開始を要求した情報端末３０に、配置情報を返信し、当該情報端末３０からの表示開始要求や配置変更要求を受信する構成としてもよい。情報端末３０−１は、分割画像生成部１４による分割画像生成処理を行い（ステップＳ５０６）、各情報端末３０−２、・・・に、生成した分割画像を含む描画命令を送信する（ステップＳ５０７）。各情報端末３０−２、・・・は、受信した分割画像を表示する。情報端末３０−１は、生成した分割画像を表示する（ステップＳ５０８）。
【０１３６】
情報端末３０−２、・・・は、受信したコンテンツを表示している際に、ユーザから、ピンチイン、ピンチアウト、スワイプ（ドラッグ）等の操作を受け付ける（ステップＳ５０９）。情報端末３０−２、・・・は、情報端末３０−１に、情報端末３０−２、・・・のＩＤと、タッチを開始された画素の座標やタッチを終了された画素の座標等の操作情報を含む操作情報通知を送信する（ステップＳ５１０）。なお、情報端末３０−１での操作により、操作情報が通知されてもよい。
【０１３７】
情報端末３０−１は、端末表示制御部１５による操作情報解析処理を行い、操作情報通知に応じて、表示する画像の倍率、表示位置（ｍｍ）を変更し（ステップＳ５１１）、分割画像生成部１４による分割画像生成処理を行い（ステップＳ５１２）、各情報端末３０−２、・・・に、生成した分割画像を含む描画命令を送信する（ステップＳ５１３）。各情報端末３０−２、・・・は、受信した分割画像を表示する。情報端末３０−１は、生成した分割画像を表示する（ステップＳ５１４）。
【０１３８】
第２の実施形態によれば、サーバ等を用いず、情報端末間でのアドホックな通信により、第１の実施形態と同様の効果を得られる。
【０１３９】
なお、上述した実施形態におけるシステム構成は一例であり、用途や目的に応じて様々なシステム構成例があることは言うまでもない。例えば、情報処理装置１０は、複数台の装置により構成してもよい。
【符号の説明】
【０１４０】
１  表示システム
１０  情報処理装置
１１  記憶部
１１１  端末情報
１１２  コンテンツ情報
１１３  マルチディスプレイ情報
１２  端末情報取得部（「取得部」の一例）
１３  配置決定部（「決定部」の一例）
１４  分割画像生成部
１５  端末表示制御部（「表示制御部」の一例）
１６  通信部
２０  アクセスポイント
２１  近距離無線通信部
２２  無線通信部
２３  通信部
２４  制御部
３０  情報端末
３１  近距離無線通信部
３２  無線通信部（「通信部」の一例）
３３  制御部
３４  記憶部
３４１  端末情報
３４２  コンテンツ情報
３４３  マルチディスプレイ情報
３５  端末情報取得部
３６  配置決定部（「決定部」の一例）
３７  分割画像生成部
３８  端末表示制御部
【先行技術文献】
【特許文献】
【０１４１】
【特許文献１】特開平０７−１２９３５７号公報
【図１】
2017016314.tif 000003
【図２】
2017016314.tif 000004
【図３】
2017016314.tif 000005
【図４】
2017016314.tif 000006
【図５】
2017016314.tif 000007
【図６】
2017016314.tif 000008
【図７】
2017016314.tif 000009
【図８】
2017016314.tif 000010
【図９】
2017016314.tif 000011
【図１０】
2017016314.tif 000012
【図１１】
2017016314.tif 000013
【図１２】
2017016314.tif 000014
【図１３】
2017016314.tif 000015
【図１４】
2017016314.tif 000016
【図１５】
2017016314.tif 000017
【図１６】
2017016314.tif 000018
【図１７】
2017016314.tif 000019
【図１８】
2017016314.tif 000020
【図１９】
2017016314.tif 000021
【図２０】
2017016314.tif 000022